(57)【特許請求の範囲】
【請求項１】
コードを介して患者に接続される医療器本体が載置される載置部を有する医療器用の架台であって、
前記載置部の側方に、前記載置部の前後方向に伸びて、前記コードを保持するためのコードハンガが設けられ、
前記コードハンガの後端部が、前記載置部よりも後方に位置されると共に、内方側に向けて突出する幅広部とされ、
前記幅広部に、複数本の前記コードを左右方向に仕分けした状態で保持させるための仕切部が形成されている、
ことを特徴とする医療器用の架台。
【請求項２】
コードを介して患者に接続される医療器本体が載置される載置部を有する医療器用の架台であって、
前記載置部の側方に、前記載置部の前後方向に伸びて、前記コードを保持するためのコードハンガが設けられ、
前記コードハンガは、前記載置部の前端側から後端側に向けて徐々に高くなるように傾斜され、
前記コードハンガのコード保持面が、上方に向けて凸となるように緩やかに湾曲されている、
ことを特徴とする医療器用の架台。
【請求項３】
請求項１または請求項２において、
前記コードハンガは、前後方向に伸びる上面がコード保持面とされ、
前記コードハンガに、前記コード保持面上にある前記コードが左右方向から落下するのを防止するための左右一対の規制壁部が形成されている、
ことを特徴とする医療器用の架台。
【請求項４】
コードを介して患者に接続される医療器本体が載置される載置部を有する医療器用の架台であって、
前記載置部の側方に、前記載置部の前後方向に伸びて、前記コードを保持するためのコードハンガが設けられ、
前記コードハンガが、前記載置部の左右側方にそれぞれ一対設けられ、
前記左右一対のコードハンガの後端部同士が、前記載置部の左右方向に伸びる連結部によって互いに連結されている、
ことを特徴とする医療器用の架台。
【請求項５】
請求項４において、
前記連結部に、小物を載置するためのトレーが形成され、
前記載置部の後端部から、前記トレーを支承する支承部が延設されている、
ことを特徴とする医療器用の架台。
【請求項６】
請求項４または請求項５において、
前記左右一対のコードハンガと前記連結部とが、合成樹脂による一体成形品とされている、ことを特徴とする医療器用の架台。
【請求項７】
請求項１ないし請求項６のいずれか１項において、
前記載置部に対して、該載置部から前方側に向けて突出すると共に、左右方向に伸びる受け部を有するアームが固定され、
前記受け部の下方でかつ床面に近い位置に、前記コードが床面に触れるのを防止するための受け板が設けられ、
前記医療器本体をそのコード接続面を前記載置部の前端側を向くようにして前記載置部に載置した状態で、収納状態での前記コードは、前記受け部を介して一旦下方に垂下されると共に上方へと折り返された後、前記コードハンガの前端部側から後端部側へと配設、保持されて、該コードの先端部分が該コードハンガの後端から下方へ垂れ下がるように配設される、
ことを特徴とする医療器用の架台。
【請求項８】
請求項７において、
前記コードハンガが前記載置部を挟むように左右一対設けられ、
前記受け部が左右一対設けられ、
前記左右一対の受け部の間に、前記架台を移動させる際に把持される取っ手が設けられている、
ことを特徴とする医療器用の架台。
【請求項９】
請求項１ないし請求項６のいずれか１項において、
前記架台が、
走行車輪を有するフレームと、
床面に近い位置において前記フレームに固定され、前記載置部に載置された前記医療器本体から伸びるコードが床面に触れるのを防止するための受け板と、
前記フレームの後端部から一体的に上方に向けて伸びる支柱と、
前記支柱の上端部に一体化され、前記載置部を構成する載置板と、
前記載置板に固定され、該載置板の前方において左右方向に伸びる左右一対の受け部を有するアームと、
前記アームに設けられ、前記左右一対の受け部の間において形成された取っ手と、
前記載置板の左右側部に固定された左右一対の前記コードハンガと、
を備えており、
前記医療器本体をそのコード接続面を前記載置部の前端側を向くようにして前記載置部に載置した状態で、収納状態での前記コードは、前記受け部を介して一旦下方に垂下されると共に上方へと折り返された後、前記コードハンガの前端部側から後端部側へと配設、保持されて、該コードの先端部分が該コードハンガの後端から下方へ垂れ下がるように配設される、
ことを特徴とする医療器用の架台。
【請求項１０】
請求項７ないし請求項１０のいずれか１項において、
前記受け板の前端部が、前端側に向かうにつれて徐々に上方に向かうように傾斜されている、
ことを特徴とする医療器用の架台。
【請求項１１】
請求項１ないし請求項１０のいずれか１項において、
前記医療器本体が、複数本の前記コードが接続される多チャネル式の電気的刺激装置とされている、ことを特徴とする医療器用の架台。
【請求項１２】
コードを介して患者に接続される医療器本体が載置される載置部を有する医療器用の架台に取付けられ、該載置部に載置された医療器本体から伸びる前記コードを保持するためのハンガ部材であって、
前後方向に伸びると共に上面がコード保持面とされた左右一対のコードハンガと、
前記左右一対のコードハンガの後端部同士を連結する連結部と、
を備えていることを特徴とするハンガ部材。
【請求項１３】
請求項１２において、
前記各コードハンガの後端部が、内方側に向けて突出する幅広部とされ、
前記各幅広部に、複数本の前記コードを左右方向に仕分けした状態で保持させるための仕切部が形成され、
前記コードハンガが、前端側から後端側に向けて徐々に高くなるように傾斜して形成され、
前記連結部に、小物を載置するためのトレーが形成され、
前記コードハンガの前端部に、前記架台への固定部位となる取付部が構成され、
前記コードハンガと前記連結部と前記トレーとが合成樹脂による一体成形品とされている、
ことを特徴とするハンガ部材。
【発明の詳細な説明】
【技術分野】
【０００１】
本発明は、医療器用の架台およびこれに用いるハンガ部材に関するものである。
【背景技術】
【０００２】
低周波治療器等の電気的刺激装置や、超音波診断装置、心電図モニタ装置等の医療器は、その本体がコードを介して患者と接続して使用される。このような医療器本体の中には、可搬型（携帯型）とされて、走行車輪を有する架台の載置面に載置された状態で、例えばベッドにいる患者の脇に移動されて使用されるものがある。特許文献１には、超音波診断機用の架台が開示されているが、そのコードについては開示されていない。
【先行技術文献】
【特許文献】
【０００３】
【特許文献１】意匠登録第１０６７８９４号公報
【発明の概要】
【発明が解決しようとする課題】
【０００４】
医療器本体を上記架台に載置して使用する場合、コードはかなり長尺であるため、非使用時において、コードをいかに体裁よく整理した状態で架台に収納させるかが問題となる。特に、コードの本数が多くなる場合もあり、しかも次の使用に備えてすみやかにコードを選択できるようにすることも強く要請されるものである。
【０００５】
本発明は以上のような事情を勘案してなされたもので、その第１の目的は、架台に載置されて使用される医療器本体から伸びるコードを、非使用時において体裁よくかつ整理された状態で収納できるようにした医療器用の架台を提供することにある。
【０００６】
本発明の第２の目的は、上記医療器用の架台に用いられるハンガ部材を提供することにある。
【課題を解決するための手段】
【０００７】
前記第１の目的を達成するため、本発明にあっては次のような第１の解決手法を採択してある。すなわち、請求項１に記載のように、
コードを介して患者に接続される医療器本体が載置される載置部を有する医療器用の架台であって、
前記載置部の側方に、前記載置部の前後方向に伸びて、前記コードを保持するためのコードハンガが設けられ、
前記コードハンガの後端部が、前記載置部よりも後方に位置されると共に、内方側に向けて突出する幅広部とされ、
前記幅広部に、複数本の前記コードを左右方向に仕分けした状態で保持させるための仕切部が形成されている、
ようにしてある。上記解決手法によれば、非使用時には、載置部に載置された医療器本体から伸びるコードは、その先端部材付近をコードハンガに引っかけて保持させておくことができる。具体的には、医療器本体から伸びるコードを、一旦床面に向けて下方へ垂下させると共に上方に向けて折り返された後、コードハンガに保持させればよいことになる。これにより、コードは、架台から側方に大きく張り出すことなく、体裁よくかつ整理された状態で収納されることになる。そして、医療器を次に使用するときは、コードのうち、コードハンガに保持されている付近を把持して、患者に接続すればよい。なお、コードを何重にも巻回して収納しておくのは、巻回作業が面倒であり、また次に使用する際に巻回状態を解除する作業が必要になり、その取り扱いが面倒である。
【０００８】
また、コードハンガに保持した複数本のコード同士を容易に区別することができ，次の使用に際してのコード選択を容易に行う等の上で好ましいものとなる。また、幅広部は、内方側に向けて突出するように形成されているので、架台の左右方向幅を極力小さくする上で好ましいものとなる。
【０００９】
前記第１の目的を達成するため、本発明にあっては次のような第２の解決手法を採択してある。すなわち、請求項２に記載のように、
コードを介して患者に接続される医療器本体が載置される載置部を有する医療器用の架台であって、
前記載置部の側方に、前記載置部の前後方向に伸びて、前記コードを保持するためのコードハンガが設けられ、
前記コードハンガは、前記載置部の前端側から後端側に向けて徐々に高くなるように傾斜され、
前記コードハンガのコード保持面が、上方に向けて凸となるように緩やかに湾曲されている、
ようにしてある。上記解決手法によれば、非使用時には、載置部に載置された医療器本体から伸びるコードは、その先端部材付近をコードハンガに引っかけて保持させておくことができる。具体的には、医療器本体から伸びるコードを、一旦床面に向けて下方へ垂下させると共に上方に向けて折り返された後、コードハンガに保持させればよいことになる。これにより、コードは、架台から側方に大きく張り出すことなく、体裁よくかつ整理された状態で収納されることになる。そして、医療器を次に使用するときは、コードのうち、コードハンガに保持されている付近を把持して、患者に接続すればよい。なお、コードを何重にも巻回して収納しておくのは、巻回作業が面倒であり、また次に使用する際に巻回状態を解除する作業が必要になり、その取り扱いが面倒である。以上に加えて、コードハンガの後端部が高い位置にあるので、使用に際しては高い位置でもって所望のコードを容易に選択、把持することができる。また、コードハンガの後端から床面までの長さを十分に確保して、長尺のコードの先端部が床面に触れないようにする上で好ましいものとなる。さらに、コードを、その自重によってコード保持面に対してその長さ方向において万遍なく接触されることが助長されて（コードのコードハンガからの浮き上がり防止や長手方向への変位の防止）、コードに対してコードハンガから局所的に大きな力が作用するのを防止する等の上でも好ましいものとなる。
【００１０】
上記第１、第２の解決手法を前提とした好ましい態様は、請求項３に記載のとおりである。すなわち、
前記コードハンガは、前後方向に伸びる上面がコード保持面とされ、
前記コードハンガに、前記コード保持面上にある前記コードが左右方向から落下するのを防止するための左右一対の規制壁部が形成されている、
ようにしてある（請求項３対応）。この場合、収納時にはコードハンガの上面にコードを引っかけるだけでよく、しかも上面に保持した前記コードが左右方向から不用意に落下してしまう事態を確実に防止する上でも好ましいものとなる。
【００１１】
前記第１の目的を達成するため、本発明にあっては次のような第３の解決手法を採択してある。すなわち、請求項４に記載のように、
コードを介して患者に接続される医療器本体が載置される載置部を有する医療器用の架台であって、
前記載置部の側方に、前記載置部の前後方向に伸びて、前記コードを保持するためのコードハンガが設けられ、
前記コードハンガが、前記載置部の左右側方にそれぞれ一対設けられ、
前記左右一対のコードハンガの後端部同士が、前記載置部の左右方向に伸びる連結部によって互いに連結されている、
ようにしてある。上記解決手法によれば、非使用時には、載置部に載置された医療器本体から伸びるコードは、その先端部材付近をコードハンガに引っかけて保持させておくことができる。具体的には、医療器本体から伸びるコードを、一旦床面に向けて下方へ垂下させると共に上方に向けて折り返された後、コードハンガに保持させればよいことになる。これにより、コードは、架台から側方に大きく張り出すことなく、体裁よくかつ整理された状態で収納されることになる。そして、医療器を次に使用するときは、コードのうち、コードハンガに保持されている付近を把持して、患者に接続すればよい。なお、コードを何重にも巻回して収納しておくのは、巻回作業が面倒であり、また次に使用する際に巻回状態を解除する作業が必要になり、その取り扱いが面倒である。また、コードの本数が多くなっても、多くのコードを左右に振り分けてそれぞれコードハンガに保持させることができる。
【００１２】
以上に加えて、左右一対のコードハンガと連結部との組立体を全体的に剛性の高いものとして構成することができ、特にコードの先端部付近を保持することになるコードハンガの後端部の剛性を十分に高める上で好ましいものとなる。
【００１３】
上記第１〜第３の解決手法を前提とした好ましい態様は、特許請求の範囲における請求項５〜１１に記載のとおりである。すなわち、
前記連結部に、小物を載置するためのトレーが形成され、
前記載置部の後端部から、前記トレーを支承する支承部が延設されている、
ようにしてある（請求項５対応）。この場合、連結部にトレーを形成することにより、医療器に付随する小物を収納することができ、かつトレーから小物を簡単に取り出すことができる。また、載置部から延設された支承部によってトレーを支承するので、強度確保の上で好ましいものとなる。
【００１４】
前記左右一対のコードハンガと前記連結部とが、合成樹脂による一体成形品とされている、ようにしてある（請求項６対応）。この場合、かなりの大型部材となる左右一対のコードハンガと連結部とを、合成樹脂による一体成形品として容易かつ軽量に得ることができ、しかも複雑形状にも簡単に対応することができる。
【００１５】
前記載置部に対して、該載置部から前方側に向けて突出すると共に、左右方向に伸びる受け部を有するアームが固定され、
前記受け部の下方でかつ床面に近い位置に、前記コードが床面に触れるのを防止するための受け板が設けられ、
前記医療器本体をそのコード接続面を前記載置部の前端側を向くようにして前記載置部に載置した状態で、収納状態での前記コードは、前記受け部を介して一旦下方に垂下されると共に上方へと折り返された後、前記コードハンガの前端部側から後端部側へと配設、保持されて、該コードの先端部分が該コードハンガの後端から下方へ垂れ下がるように配設される、
ようにしてある（請求項７対応）。この場合、長尺のコードを体裁よくかつ整理された状態で収納しつつ、コードが不用意に床面に触れてしまう事態を防止する上で好ましいものとなる。また、コードのうち医療器本体に近い部分をアームで支承するので、コードと医療器本体との接続部位付近に無理な曲げ力が作用するのを防止する上で、また医療器本体と受け部の間の前後方向長さ分だけ収納時のコード配設スペース（コード収納空間の長さ）をより十分に長く確保することができる。
【００１６】
前記コードハンガが前記載置部を挟むように左右一対設けられ、
前記受け部が左右一対設けられ、
前記左右一対の受け部の間に、前記架台を移動させる際に把持される取っ手が設けられている、
ようにしてある（請求項８対応）。この場合、多くのコードを左右に振り分けて収納するのに好適であり、また取っ手を、アームを利用して設けつつ左右方向ほぼ中央部に位置させて、架台をバランスよくスムーズに移動させるにも好適となる。
【００１７】
前記架台が、
走行車輪を有するフレームと、
床面に近い位置において前記フレームに固定され、前記載置部に載置された前記医療器本体から伸びるコードが床面に触れるのを防止するための受け板と、
前記フレームの後端部から一体的に上方に向けて伸びる支柱と、
前記支柱の上端部に一体化され、前記載置部を構成する載置板と、
前記載置板に固定され、該載置板の前方において左右方向に伸びる左右一対の受け部を有するアームと、
前記アームに設けられ、前記左右一対の受け部の間において形成された取っ手と、
前記載置板の左右側部に固定された左右一対の前記コードハンガと、
を備えており、
前記医療器本体をそのコード接続面を前記載置部の前端側を向くようにして前記載置部に載置した状態で、収納状態での前記コードは、前記受け部を介して一旦下方に垂下されると共に上方へと折り返された後、前記コードハンガの前端部側から後端部側へと配設、保持されて、該コードの先端部分が該コードハンガの後端から下方へ垂れ下がるように配設される、
ようにしてある（請求項９対応）。この場合、架台としてより具体的なものが提供される。以上に加えて、多くのコードを左右に振り分けて収納するのに好適であり、また取っ手を、アームを利用して設けつつ左右方向ほぼ中央部に位置させて、架台をバランスよくスムーズに移動させるにも好適となる。さらに、取っ手を有する側となる載置部の前方空間を、コード収納空間として有効に利用することができる。
【００１８】
前記受け板の前端部が、前端側に向かうにつれて徐々に上方に向かうように傾斜されている、ようにしてある（請求項１０対応）。この場合、受け板のうち、コードが垂れ下がる部分に対応した前端部は前上がりの傾斜設定として、コードが受け板の前端部側から逸脱して不用意に床面に触れてしまう事態を防止する上で好ましいものとなる。
【００１９】
前記医療器本体が、複数本の前記コードが接続される多チャネル式の電気的刺激装置とされている、ようにしてある（請求項１１対応）。この場合、コードの本数が多くなり、しかも使用状態と非使用状態との間で頻繁に繰り返されることの多い多チャネル式の電気的刺激装置用の架台として極めて好適である。
【００２０】
前記第２の目的を達成するため、本発明にあっては次のような解決手法を採択してある。すなわち、請求項１２に記載のように、
コードを介して患者に接続される医療器本体が載置される載置部を有する医療器用の架台に取付けられ、該載置部に載置された医療器本体から伸びる前記コードを保持するためのハンガ部材であって、
前後方向に伸びると共に上面がコード保持面とされた左右一対のコードハンガと、
前記左右一対のコードハンガの後端部同士を連結する連結部と、
を備えているようにしてある。上記解決手法によれば、請求項１における対応構成要素に応じた効果と請求項４に対応した効果を得るハンガ部材を提供することができる。また、コードハンガの上面にコードを引っかけるだけで、コードを簡単に収納することができる。
【００２１】
上記解決手法を前提とした好ましい態様は、請求項１３に記載のとおりである。すなわち、
前記各コードハンガの後端部が、内方側に向けて突出する幅広部とされ、
前記各幅広部に、複数本の前記コードを左右方向に仕分けした状態で保持させるための仕切部が形成され、
前記コードハンガが、前端側から後端側に向けて徐々に高くなるように傾斜して形成され、
前記連結部に、小物を載置するためのトレーが形成され、
前記コードハンガの前端部に、前記架台への固定部位となる取付部が構成され、
前記コードハンガと前記連結部と前記トレーとが合成樹脂による一体成形品とされている、
ようにしてある（請求項１３対応）。この場合、また、左右一対のコードハンガで架台を挟んだ状態でハンガ部材を架台に固定することができ、この固定状態では、左右一対のコードハンガと連結部と架台とが閉じられた環状構造とされて、極めて剛性の高いものとなる。さらに、請求項１と請求項２における対応構成要素に応じた効果に加えて、請求項５、請求項６に対応した効果を得るためのハンガ部材を提供することができる。
【発明の効果】
【００２２】
本発明によれば、コードを体裁よく整理した状態で収納しておくことができる。
【図面の簡単な説明】
【００２３】
【図１】本発明による架台の一例を示す斜視図。
【図２】図１に示す架台の正面図。
【図３】図１に示す架台の背面図。
【図４】図１に示す架台の左側面図。
【図５】図１に示す架台の上面図。
【図６】図１に示す架台の底面図。
【図７】図１に示す架台に設けられているハンガ部材の斜視図。
【図８】図１に示す架台に医療器本体を取付ける状態を示す斜視図。
【図９】医療器本体から伸びる複数本のコードをハンガ部材を利用して収納している状態を示す斜視図。
【図１０】医療器本体から伸びる複数本のコードをハンガ部材を利用して収納している状態を示す正面図。
【発明を実施するための形態】
【００２４】
図１において、本発明の一実施形態による架台が符号Ｋで示される。架台Ｋは、大別して、フレーム部１と受け板１０と支柱２０と載置板３０とハンガ部材４０とを有する。
【００２５】
図１〜図６に示すように、フレーム部１は、左右方向（図２、図３左右方向）に伸びる前後一対のフレーム構成材２と３とを有し、各フレーム構成材２および３にはそれぞれ左右２個のキャスタからなる走行車輪４が取付けられている。後側のフレーム材３の左右方向中央部には、上方へ短く伸びるフレーム材５の下端が固定されている。そして、前側のフレーム材２の左右方向中間部とフレーム材５の上端部とが、前後方向（図２、図３の紙面直角方向で、図４の左右方向）に伸びるフレーム材６によって連結、一体化されている。各フレーム材２、３、５、６はそれぞれ例えば鉄系の金属材によって形成されて、その固定は例えば溶接によって行われている。
【００２６】
受け板１０は、例えば鉄系の金属材により形成されて、フレーム材２、３、５、６の直上方の低い位置において、前後方向に伸びるフレーム材６に沿うようにしてフレーム部１に対して固定されている（例えば溶接）。受け板２０は、後端部から前端部に向けて徐々に幅広となるように形成されて、上方から見たときに三角形状として形成されている。受け板１０が前下がりのフレーム材６に沿うように配設されているため、受け板１０も若干前下がりとなっている。そして、幅広となっている受け板１０の前端部については、前上がりとなるように（前方に向かうにつれて徐々に高くなるように）傾斜設定され、この形成設定された部分を傾斜部１０ａとして示す。なお、傾斜部１０ａと前側のフレーム材２との間にはスペーサ１１が介在されている（傾斜部１０ａの下方への変形抑制）。
【００２７】
受け板１０の後端部に対して、上下方向に長く伸びる支柱２０の下端部が固定されている。具体的には、支柱２０は，例えば鉄系のパイプ材により構成されて、受け板１０の後端部に形成された取付孔に嵌合された状態で、受け板１０に例えば溶接により固定されている。なお、支柱２０の下端部をフレーム材６に対して溶接等により固定することもできる。フレーム材６は、若干前下がりとされる一方、支柱２０はフレーム材６に対して直角になるように固定されているため、支柱２０は、若干前下がり（上方に向かうにつれて徐々に前方側に位置するような傾斜）とされている。
【００２８】
載置板３０は、載置部を構成するもので、例えば鉄系の金属により形成されて、支柱２０の上端部に例えば溶接によって固定されている。載置板３０の上面が、後述する医療器本体を載置するための載置面３０ａとされ、この載置面３０ａに支柱２０の上端が開口されている。載置板３０の４隅には、嵌合部としての切欠部３０ｂが形成されている。この切欠部３０ｂは、医療器本体の底面の４隅に設けられた４個の突起部となる脚部が嵌合されるものであり、全周囲が閉じられた孔形状として形成することもできる。また、載置板３０には、この上に載置される医療器本体Ｔ（図８〜図１０参照）を固定するための固定具（例えばねじ）が貫通される取付孔３０ｃが形成されている。
【００２９】
図７に詳細に示すように、ハンガ部材４０は、左右一対のコードハンガ４１を有する。左右一対のコードハンガ４１の後端部同士は、連結部４２によって連結されている。そして、連結部４２は、実施形態では、上方に開口されたトレー４３を構成している。各コードハンガ４１の前端部には、内方側に向けて伸びる（つまり互いに接近する方向に伸びる）取付フランジ部４４が形成されている。この取付フランジ４４を載置板３０の側部下面に着座させた状態で、ねじ等の固定具によって、取付フランジ４４（つまりハンガ部材４０）が載置板３０に対して固定されている。
【００３０】
コードハンガ４１は、その前端部が載置面３０ａの前後方向略中間部に位置され、その後端部は、載置面３０ａの後縁部よりもさらに後方に位置されている。前記トレー４３に対応して、載置板３０の後縁部からは、上方へ立ち上がる縦壁部３１を介して略水平方向に後方へ伸びる支承部３２が延設されている。そして、支承部３２によってトレー４３が支承されるようになっている。
【００３１】
コードハンガ４１は、その上面４１ａがコード保持面（支承面）となるもので、この上面４１ａは、実施形態では、上方に向けて凸となるように緩やかに湾曲している。また、コードハンガ４１は、その前端部よりも後端部側が高い位置となるように傾斜されている。すなわち、コードハンガ４１の前端部は載置板３０の載置面３０ａとほぼ同一の高さとされる一方、コードハンガ４１の後端部は、載置面３０ａよりも高い位置でかつ載置面３０ａよりもさらに後方に位置されている。
【００３２】
各コードハンガ４１の左右側壁が上面４１ａよりも高くなるように少なくとも部分的に上方へ突出されて、この上方への突出部分が、上面４１ａに支承したコードが不用意に脱落するのを規制する規制壁部４１ｂとされている。
【００３３】
コードハンガ４１の後端部は、前端部に比して幅広な幅広部４１ｃとされている。すなわち、コードハンガ４１の後端部は、左右方向内方側に向けて伸びていて、この幅広部４１ｃが最終的にトレー４３に連なっている。幅広部４１ｃには、それぞれ前後方向に伸びる複数（実施形態では３つ）の仕切部としての凸状部４１ｄが形成されている。すなわち、各コードハンガ４１の幅広部４１ｃには、前記規制壁部４１ｂおよび凸状部４１ｄによって仕切られたコード配設用の複数の溝部４１ｅが構成されている。なお、規制壁部４１ｂは、上面４１ａの左右に位置されていて、その断面は上方が開口された略コ字状とされているが、内方側（載置板３０に向かう側）の位置規制部４１ｂについては、幅広部４１ｃ付近においては存在しないようにされている（コードハンガ４１の上面４１ａに支承された複数本のコードが、幅広部４１ｃでは左右方向に大きく離間した状態を確保）。
【００３４】
載置板３０には、アーム部材５０が固定されている。このアーム部材５０は、例えば鉄系金属棒を曲げ加工することにより形成されて、載置板３０の前端部から一体的に前方に伸びる左右一対の前方延設部５０ａと、左右一対の前方延設部５０ａの前端部同士を連結する左右方向に伸びる連結部５０ｂとを有する。連結部５０ｂは、その左右方向中間部分が、前方延設部５０ａよりも高くなるように曲げ加工され、この高くなった中間部に取っ手５１が形成されている。また、左右方向に伸びる連結部５０ｂのうち、取っ手５１の左右に位置する低い部分が、コードを支承する左右一対の受け部５２を構成している。左右一対の受け部５２は、上方から見たとき、載置板３０を前方へ延長した延長軌跡上に位置するようにされている。
【００３５】
図８において、Ｔは医療器本体で、実施形態では、電気的刺激装置としての多チャネル式（より具体的には６チャネル式）の低周波治療器（干渉式を含む）とされている。医療器本体Ｔは、載置板３０の面積よりも若干小さい面積を有する可搬式とされている。医療器本体Ｔの底面の４隅には、下方へ突出する例えばゴム製の脚部６１が突出されて、この各脚部６１を載置板３０の４隅に形成された切欠部３０ｂに嵌合（係合）させた状態で、医療器本体Ｔが載置板３０（の載置面３０ａ）上に載置される。この載置状態では、脚部６１が切欠部３０ｂに嵌合されていることから、医療器本体Ｔの載置板３０に対する相対的な位置ずれが防止される。そして、取付孔３０ｃを貫通するねじ等の固定具によって、医療器本体Ｔが載置板３０にしっかりと固定される。
【００３６】
実施形態で示す医療器本体Ｔは、その上面に薄型ディスプレイからなる表示部６５、各チャネルの出力を調整するボリュームスイッチ６６ａ〜６６ｆを有する他、治療周波数や治療時間を設定したり、表示部６５での表示内容を変更するためのモード変更スイッチ６７等を有する。なお、このような医療器本体Ｔそのものの機能は従来と同じなので、これ以上の説明は省略する。
【００３７】
支柱２０の下部に、ボックス保持部２１が形成されている。特に図８に示すように、ボックス保持部２１は、前後一対の帯状の保持板２２、２３により構成されて、全体として支柱２０を取り巻くように配設されている。そして、前側の保持板２２に対して前ボックス２４が着脱自在に取付けられている。また、後側の保持板２３には、後ボックス２５が着脱自在に取付けられている。各ボックス２４、２５内には、医療器本体Ｔの付属品（小物）等が収納される。実施形態では、後ボックス２５内には、例えば医療器本体Ｔから排出される液体（吸引カップ式の電極を介して器本体Ｔへ吸い上げられる水等の導電性液体や患者の汗）を貯溜しておく排液タンクが収納されるようにしてある。
【００３８】
電気的刺激装置からなる医療器本体Ｔは、その前面６０が取っ手５１側を向くようにした状態で、前述のように載置板３０上に載置、固定される。医療器本体Ｔの前面６０には、左右方向に間隔をあけて、複数のコード接続部７１ａ〜７１ｆが構成されている．各コード接続部７１ａ〜７１ｆは、それぞれ、上下に２種類設定されて、上側が先端部に吸引カップ式の電極を有するコードの接続用とされ、下側が先端部にパッド式（非吸引式）の電極を有するコードの接続用とされている。図９，図１０に示すように、コード接続部７１ａ〜７１ｆに対して、個別にコード７２ａ〜７ｆが着脱自在に接続される。なお、各コード７２ａ〜７２ｆは、２本１組とされている（１組を構成する２本のコードは、実際には、その各端部を除いて、実質的に１本のコードとなるように一体化されている）。
【００３９】
図９、図１０では、医療器本体Ｔの前面６０に左右方向に間隔をあけて設けられた各コード接続部７１ａ〜７１ｆに対して、先端部に電極７３が装着されたコード７２ａ〜７２ｆが接続された状態が示される。図９、図１０は、医療器本体Ｔの非使用時の状態でのコード収納状態が示される。すなわち、左側の３組（６本）のコード７２ａ〜７２ｃが、一旦前方へ伸びて、アーム部材５０の左側の受け部５２を経由して下方へ一旦垂下される。受け部５２から垂下されたコード７２ａ〜７２ｃは、受け板１０付近で上方へと折り返された後、左側のコードハンガ４１の上面４１ａ上に沿わせて前後方向に配設され、最終的に電極７３が左側のコードハンガ４１の後端から下方へ垂下された状態とされる。
【００４０】
右側の３組（６本）のコード７２ｄ〜７２ｆも、左側のコード７２ａ〜７２ｃと同様にして収納される。すなわち、コード７２ｄ〜７２ｆが、一旦前方へ伸びて、アーム部材５０の右側の受け部５２を経由して下方へ一旦垂下される。受け部５２から垂下されたコード７２ｄ〜７２ｆは、受け板１０付近で上方へと折り返された後、右側のコードハンガ４１の上面４１ａ上に沿わせて前後方向に配設され、最終的に電極７３が右側のコードハンガ４１の後端から下方へ垂下された状態とされる。
【００４１】
ここで、コード７２ａ〜７２ｆの長さは標準長さとされて（一般的に約２ｍの長さで、ベッドの脇に架台Ｋを配置した状態で、医療器本体Ｔからベッド上の患者の任意位置へ電極を位置させることのできる長さ）、図９、図１０に示すコード収納状態とされる。収納状態にある各コード７２ａ〜７２ｆは、各コードハンガ４１の後端部付近では、その幅広部にある仕切部としての凸条部４１ｄで、１組（２本）毎に左右方向に仕切られた状態とされる。よって、使用時には、所望のコードを容易に選択することができる。
【００４２】
受け部５２から大きく下方へ垂れ下がったコード７２ａ〜７２ｆの下方には、受け板１０があるため、例えば架台Ｋの移動中においてコード７２ａ〜７２ｆが不用意に床面に触れてしまう事態も確実に防止される。受け板１０の前端部が前上がりになっているため、コード７２ａ〜７２ｆが受け板１０の前端縁部から外れて床面側へと大きくたれ下がってしまう事態も防止される。
【００４３】
コードハンガ４１の上面４１ａは、上方に向けて凸となるように緩やかに湾曲されているので、この上面４１ａに支承、保持されるコード７２ａ〜７２ｆは、その自重により上面４１ａのほぼ全長に渡って接触することになる。これにより、コード７２ａ〜７２ｆは、コードハンガ４１によって局所的な力を受けることなく、この保持状態が確実に維持される。電極７３付近を支承することとなる幅広部４１ｃは、内方側に向けて突出するようにされているので、外方側に向けて突出させた場合に比して、架台Ｋの左右幅を抑制する上で好ましいものとなる。
【００４４】
医療器本体Ｔの電源コードは、支柱２０内を通して配設される。具体的には、図３に示すように、支柱２０の後面部には、載置板３０の直下方位置と受け板１０の直上方位置において、開口部２６、２７が形成されて、支柱２０内に配設された電源コードの上端部が上側の開口部２６を通して支柱２０の外側に引き出されて、医療器本体Ｔに接続される。また、電源コードの下端部が、下側の開口部２７を通して支柱２０の外側に引き出されて、商用電源のコンセントに接続される。
【００４５】
医療器本体Ｔからの液体排出用のホースは、医療器本体Ｔの下面から支柱２０の上方開口部を通して支柱２０内に配設される。上記ホースの下端部は、支柱２０の後面部のうち上下方向中間部に形成された開口部２８（図３参照）から支柱２０の外側に引き出されて、後ボックス２５内に配設された貯溜タンク（図示略）内へと導かれる。
【００４６】
使用に際しては、取っ手５１を把持して、医療器本体Ｔが架台Ｋと共に患者に向けて移動される。収納状態にあるコード７２ａ〜７２ｆの中から所望のコードの選択は、コードハンガ４１のうち高い位置にあって１組毎に左右方向に仕分けされている幅広部４１ｃ付近でかつコードハンガ４１の後端から下方に垂れ下がっている部分を選択的に把持することにより行われ、選択されたコードの先端にある電極７３が患者に装着される。なお、載置面３０ａの高さは、例えば７０ｃｍ〜９０ｃｍに設定されて、医療器本体Ｔが操作者の腰部から胸部付近の範囲内の高さとなるように設定されているため、医療器本体Ｔの操作性がよいものとなる（支柱２０は上下方向の長さ調整式とすることもできる）。また、医療器本体Ｔの操作は、架台Ｋの前方あるいは斜め前方から操作することを想定しており、この場合、載置面３０ａつまり医療器本体Ｔにおける上面が前下がりのため、より操作性を高いものとなる。
【００４７】
なお、実施形態では、各チャネルとコードとの対応関係が明確になるように、各チャネル毎のボリュームスイッチ６６ａ〜６６ｆが互いに異なる色とされ、これに応じて、コード接続部７１ａ〜７１ｆおよびコード７２ａ〜７２ｆの色が対応づけられている。具体的には、例えば、第１チャネル用のボリュームスイッチ６６ａとコード接続部７１ａとコード７２ａとがそれぞれ例えば赤色に設定され、第２チャネル用のボリュームスイッチ６６ｂとコード接続部７１ｂとコード７２ｂとがそれぞれ例えば青色に設定され、第３チャネル用のボリュームスイッチ６６ｃとコード接続部７１ｃとコード７２ｃとがそれぞれ例えば緑色に設定される等の色分けが行われている。
【００４８】
以上実施形態について説明したが、本発明は、実施形態に限定されるものではなく、特許請求の範囲の記載された範囲において適宜の変更が可能であり、例えば次のような場合をも含むものである。医療器本体Ｔとしては、電気的刺激装置に限らず、コードを介して患者と接続されるものであれば、例えば超音波診断装置、心電図モニタ装置等適宜の機器類とすることができ、また医療用として認可されているか否かを特に問わないものである。載置面３０ａは、板状部材の上面によって構成する場合に限らず、例えば支柱２０部分をボックス状にして、このボックス部分の上面によって構成する等によって構成することもできる。
【００４９】
コードハンガ４１は、連結部４２で連結することなく左右に分離したものであってもよく、また左右いずれか一方のみに設けるようにしてもよい（例えば、電気的刺激装置としてチャネル数の少ないものを用いる場合）。コードハンガ４１は、合成樹脂に限らず、例えばアルミニウム合金等の金属（特に軽金属）により形成してもよい。コードハンガ４１は、コード７２ａ〜７２ｆを前後方向に長く支承できるものであれば、例えば、前後方向に長く伸びる基板（本体）に上方が開口されたフック部材を前後方向に複数間隔をあけて配置した構成にする等、適宜の構造のものを採択でき、また前後方向においてほぼ水平に伸びるものであってもよい（後方が高くなるような傾斜設定なし）。
【００５０】
取っ手５１が設けられるアーム部材５０は、例えば支柱２０に固定する等、架台Ｋの適宜の部分に対して固定することができる。受け板１０は、略三角形状に限らず、四角形状にする等、適宜の形状を選択でき、また小型化のために医療器本体Ｔから垂れ下がる部分の直下方のみに存在するものであってもよい。勿論、本発明の目的は、明記されたものに限らず、実質的に好ましいあるいは利点として表現されたものを提供することをも暗黙的に含むものである。
【産業上の利用可能性】
【００５１】
本発明は、電気的刺激装置等の医療器本体を載置しておく架台として好適である。
【符号の説明】
【００５２】
Ｋ：架台
Ｔ：医療器本体
１：フレーム部
４：走行車輪
１０：受け板
１０ａ：傾斜部
２０：支柱
３０：載置板
３０ａ：載置面
３０ｂ：切欠部（嵌合部）
３２：支承部
４０：ハンガ部材
４１：コードハンガ
４１ａ：上面
４１ｂ：規制壁部
４１ｃ：幅広部
４１ｄ：凸条部（仕切部）
５０：アーム部材
５１：取っ手
５２：受け部
６０：前面（医療器本体）
６１：脚部（医療器本体）
７１ａ〜７１ｆ：コード接続部
７２ａ〜７２ｆ：コード
７３：電極
【要約】
【課題】架台に載置されて使用される医療器本体から伸びるコードを、非使用時において体裁よくかつ整理された状態で収納できるようにする。
【解決手段】コード７２ａ〜７２ｆを介して患者に接続される医療器本体Ｔが、架台Ｋの載置板３０に載置される。載置板３０の左右側方に、前後方向に伸びるコードハンガ４１が設けられる。非使用時には、医療器本体Ｔから伸びるコード７２ａ〜７２ｆが、一旦床面に向けて下方へ垂下されると共に上方に向けて折り返された後、コードハンガ４１に保持される。
【選択図】  図１０【図１】
0005443638.tif 000002
【図２】
0005443638.tif 000003
【図３】
0005443638.tif 000004
【図４】
0005443638.tif 000005
【図５】
0005443638.tif 000006
【図６】
0005443638.tif 000007
【図７】
0005443638.tif 000008
【図８】
0005443638.tif 000009
【図９】
0005443638.tif 000010
【図１０】
0005443638.tif 000011